(57)【要約】【課題】外径が８．５［ｍｍ］以下の電源コードの柔軟性を評価する。【解決手段】電源コード２の形状が円弧状になるように電源コード２を２箇所で固定する電源コード固定つまみ３と、電源コード２の固定点を結ぶ直線に対し直交する方向に移動可能なプッシュプルスケール４と、円弧状の電源コード２の頂点部分から電源コード２の曲率中心に向けて電源コード２を所定距離押し込むようにプッシュプルスケール４を移動制御する制御装置６と、プッシュプルスケール４により計測された荷重値を収集する荷重測定装置７とを備える。【選択図】図１
2007147339.tif 000002
【特許請求の範囲】
【請求項１】
電源コードの形状が円弧状になるように電源コードを２箇所で固定するステップと、
前記電源コードの固定点を結ぶ直線に対し直交する方向に円弧状の電源コードの頂点部分を電源コードの曲率中心に向けて所定距離押し込むステップと、
前記所定距離押し込んだ際に電源コードに加わっている荷重を計測するステップと、
前記計測された荷重に基づいて前記電源コードの柔軟性を評価するステップと
を有することを特徴とする電源コードの柔軟性評価方法。
【請求項２】
請求項１に記載の電源コードの柔軟性評価方法であって、
前記電源コードの形状が半円状になるように電源コードを２箇所で固定することを特徴とする電源コードの柔軟性評価方法。
【請求項３】
請求項２に記載の電源コードの柔軟性評価方法であって、
前記所定距離は前記電源コードの曲率半径の半分の値とすることを特徴とする電源コードの柔軟性評価方法。
【請求項４】
電源コードの形状が円弧状になるように電源コードを２箇所で固定する固定部と、
前記電源コードの固定点を結ぶ直線に対し直交する方向に移動可能な荷重計と、
円弧状の電源コードの頂点部分から電源コードの曲率中心に向けて電源コードを所定距離押し込むように前記荷重計を移動制御する制御部と、
前記荷重計により計測された荷重値を収集する荷重測定部と
を備えることを特徴とする電源コードの柔軟性評価装置。
【発明の詳細な説明】
【技術分野】
【０００１】
本発明は、外径が８．５［ｍｍ］以下の電源コードの柔軟性を評価するための電源コードの柔軟性評価方法及び柔軟性評価装置に関する。
【背景技術】
【０００２】
従来より、ケーブルの柔軟性を評価するための第１の方法として、ケーブルの一端を固定し、他端に錘を取り付けた状態におけるケーブルの撓み量を測定する方法や、ケーブルの一端を棒に固定し、他端に錘をつけた状態で棒を回転させることによりケーブルを棒に巻き付けていく方法が知られている（非特許文献１を参照）。また、第２の方法として、ケーブルを固定台に載せた状態で固定台の中心部に荷重を加えた時の荷重を測定する方法が知られている（非特許文献２を参照）。また、第３の方法として、ケーブルの一端を固定し、他端をカーテンレールのように押し込む際の荷重を測定する方法が知られている（非特許文献３を参照）。
【非特許文献１】ＪＩＳ  Ｃ  ６８６１（１９９９）“全プラスチックマルチモード光ファイバ機械特性試験方法”
【非特許文献２】ＪＩＣ  Ｃ  ６８５１（２００１）  “光ファイバケーブル特性試験方法”
【非特許文献３】ＩＥＣ  ６０２４５−２（１９９８）  “ゴム絶縁ケーブル−４５０／７５０Ｖ以下の定格電圧−第２部：試験方法”
【発明の開示】
【発明が解決しようとする課題】
【０００３】
しかしながら、上記従来までの柔軟性評価方法は、ケーブルのような外径が１５［ｍｍ］程度の太い電線を対象としたものであるために、外径が８．５［ｍｍ］以下の電線の柔軟性を評価することはできなかった。
【０００４】
本発明は、上記課題を解決するためになされたものであり、その目的は、外径が８．５［ｍｍ］以下の電源コードの柔軟性を評価可能な電源コードの柔軟性評価方法及び柔軟性評価装置を提供することにある。
【課題を解決するための手段】
【０００５】
上述の課題を解決するために、本発明に係る電源コードの柔軟性評価方法は、電源コードの形状が円弧状になるように電源コードを２箇所で固定するステップと、電源コードの固定点を結ぶ直線に対し直交する方向に円弧状の電源コードの頂点部分を電源コードの曲率中心に向けて所定距離押し込むステップと、所定距離押し込んだ際に電源コードに加わっている荷重を計測するステップと、計測された荷重に基づいて電源コードの柔軟性を評価するステップとを有することを特徴とする。
【０００６】
また、本発明に係る電源コードの柔軟性評価装置は、電源コードの形状が円弧状になるように電源コードを２箇所で固定する固定部と、電源コードの固定点を結ぶ直線に対し直交する方向に移動可能な荷重計と、円弧状の電源コードの頂点部分から電源コードの曲率中心に向けて電源コードを所定距離押し込むように荷重計を移動制御する制御部と、荷重計により計測された荷重値を収集する荷重測定部とを備えることを特徴とする。
【発明の効果】
【０００７】
本発明に係る電源コードの柔軟性評価方法及び柔軟性評価装置によれば、電源コードの形状を円弧状にして電源コードを固定することにより電源コードにバネ性を持たせ、荷重計の押し込み圧力に対抗させることにより電源コードの柔軟性を評価するので、外径が８．５［ｍｍ］以下の電源コードの柔軟性を評価することができる。
【発明を実施するための最良の形態】
【０００８】
以下、図面を参照して、本発明の実施形態となる電源コードの柔軟性評価装置の構成と柔軟性評価方法について説明する。なお、図面の記載において同一又は類似の部分には同一又は類似の符号を付している。
【０００９】
〔電源コードの柔軟性評価装置の構成〕
始めに、図１，２を参照して、本発明の実施形態となる電源コードの柔軟性評価装置の構成について説明する。
【００１０】
本発明の実施形態となる電源コードの柔軟性評価装置１は、図１，２に示すように、評価対象の電源コード２を形状が半円状になるように２箇所で固定する電源コード固定つまみ３と、プッシュプルスケール４を電源コード２の頂点から電源コード２の曲率中心に向けて所定距離押し込む電動シリンダ５と、電動シリンダ５の押し込み動作を制御する制御装置６と、プッシュプルスケール４により測定された荷重値を収集し、電源コード２の柔軟性を評価する荷重測定装置７とを主な構成要素として備え、これら構成要素は測定台８の上に配置されている。
【００１１】
なお、この装置１において測定対象となる電源コード２は、素線の断面積が０．７５〜２［ｍｍ２］の範囲内（最大外径８．５［ｍｍ］以下）にある電気用品技術基準で定められているコード，キャブタイヤコード，及びキャブタイヤケーブルである。また、電源コード固定つまみ３は、素線の断面積が上記範囲内にある種々の電源コード２を固定できるように幅を変化できるように構成されている。また、本実施形態では、プッシュプルスケール４としては、最大荷重１００［Ｎ］，分解能０．１［Ｎ］の市販のものを用いた。また、電動シリンダ５は、電源コード２の押し込み距離及び押し込み速度を制御できるものを用いた。
【００１２】
また、制御装置６は、電動シリンダ５に付属しているソフトウェアを利用して電動シリンダ５の動作を制御する。また、荷重測定装置７は、プッシュプルスケール４に付属しているソフトウェアを利用して荷重値を収集する。また、測定台８には、電源コード２の曲率半径及び押し込み距離を測定するためにメジャー９ａ，９ｂが設けられている。また、電源コード２は、図２に示すように、基本的には測定台８と接触していないが、押し込み時に測定台８と接触する可能性があるので、測定台８の表面は滑りやすい素材（化粧板）により構成した。
【００１３】
〔電源コードの柔軟性評価方法〕
次に、上記装置１を利用した電源コード２の柔軟性評価方法の流れについて説明する。
【００１４】
上記装置１を利用して電源コード２の柔軟性を評価する際は、始めに、制御装置６において電源コード２の押し込み速度と押し込み量を設定する。なお、本実施形態では、電源コード２の押し込み速度は５±１［ｍｍ／秒］に設定した。また、電源コード２の押し込み量は、図３（ａ），（ｂ）に示すように、電源コード２の曲率半径Ｒの５０［％］の値に設定した。
【００１５】
次に、規定の長さの電源コード２を５本用意し、電源コード２を形状が半円状になるように電源コード固定つまみ３に固定する。なお、電源コード２としては、前の電源コード２を切り取った点から１［ｍ］以上離れた部位のもの、又はロットの異なるものを使用することが望ましい。次に、メジャー９ｂによって電源コード２の曲率半径が５０［ｍｍ］になっていることを確認した後、メジャー９ａを確認しながらプッシュプルスケール４によって電源コード２を所定距離押し込み、荷重測定装置７によってプッシュプルスケール４のピーク値（荷重値）を測定する。
【００１６】
次に、電源コード２の押し込み量が設定した値に達してから押し込み状態を３０［秒］間維持した後、プッシュプルスケール４を押し込み開始位置まで速やかに戻す。以後、電源コード２を反対側に折り曲げ、前述と同様にしてプッシュプルスケール４のピーク値を測定するステップを４回（合計５回）繰り返し行う。なお、電源コード２を反対側に折り曲げる際、変形によって押し込み部分の中心位置がずれないように電源コード２を数回折り曲げ、また捩れが生じないようにすることが望ましい。
【００１７】
最後に、荷重測定装置７は、各電源コード２について上記処理を行うことにより得られる２５個の荷重値の平均値を水準値として算出し、荷重値の標準偏差，最大値を記録する。以後、評価者は、荷重測定装置７により記録された値を参照して電源コード２の柔軟性を評価する。
【００１８】
〔実験例〕
最後に、上記装置１を利用した電源コード２の柔軟性評価の実験例について説明する。
【００１９】
ポリエチレン（ＰＥ）製及び塩化ビニル（ＰＶＣ）製の電源コード２それぞれについて押し込み速度，押し込み量，押し込み範囲を変化させながら荷重値の平均値，標準偏差，変動係数を算出した結果、図４に示すように、押し込み速度，押し込み量，及び押し込み範囲の条件では変動係数に大きな差がないことが明らかになった。但し、図５，６に示すように、押し込み量が電源コード２の曲率半径Ｒの５０［％］である場合の方が押し込み量が電源コード２の曲率半径Ｒの７５［％］である場合より変動係数が小さい。従って、電源コード２の柔軟性を評価する際は、電源コード２の曲率半径Ｒは５０［ｍｍ］，押し込み速度は５［ｍｍ／秒］，押し込み距離は曲率半径Ｒの５０［％］であることが望ましい。
【００２０】
そして、上記の評価条件に従って塩化ビニル（ＰＶＣ）製，ポリエチレン（ＰＥ）製，及び開発品Ａ，Ｂ，Ｃの電源コード２それぞれについて最大押し込み力と標準偏差を測定した結果、図７に示すように、塩化ビニル製，開発品Ｃ，ポリエチレン製，開発品Ａ，及び開発品Ｂの電源コード２の順に柔軟性がよくなるとの評価結果が得られた。また、同じ塩化ビニル（ＰＶＣ）製及び開発品Ａ，Ｂ，Ｃの電源コード２それぞれについて官能評価を行った結果、図８に示すように７５[％]の人が上記評価結果と同じ評価をした。従って、本発明の実施形態となる電源コード２の柔軟性評価方法によれば、外径が８．５［ｍｍ］以下の電源コードの柔軟性を評価することができると共に、使用者の柔軟の感覚を定量的に評価することができる。
【００２１】
以上の説明から明らかなように、本発明の実施形態となる電源コード２の柔軟性評価方法によれば、電源コード２の形状が円弧状になるように電源コード２を２箇所で固定し、電源コード２の固定点を結ぶ直線に対し直交する方向に円弧状の電源コード２の頂点部分を電源コード２の曲率中心に向けて所定距離押し込み、所定距離押し込んだ際に電源コード２に加わっている荷重を計測し、計測された荷重に基づいて電源コード２の柔軟性を評価する。すなわち、本発明の実施形態となる電源コード２の柔軟性評価方法によれば、電源コード２の形状を円弧状にして電源コード２を固定することにより電源コード２にバネ性を持たせ、荷重計の押し込み圧力に対抗させることにより電源コード２の柔軟性を評価するので、外径が８．５［ｍｍ］以下の電源コードの柔軟性を評価することができる。
【００２２】
また、本発明の実施形態となる電源コード２の柔軟性評価方法によれば、電源コード２の形状が半円状になるように電源コードを２箇所で固定するので、電源コード２のバネ性を最大にし、電源コード２の柔軟性を安定して評価することができる。また、本発明の実施形態となる電源コード２の柔軟性評価方法によれば、所定距離は電源コード３の曲率半径の半分の値とするので、ばらつきが少ない計測を行うことができる。
【００２３】
以上、本発明者によってなされた発明を適用した実施の形態について説明したが、この実施の形態による本発明の開示の一部をなす論述及び図面により本発明は限定されることはない。すなわち、上記実施の形態に基づいて当業者等によりなされる他の実施の形態、実施例及び運用技術等は全て本発明の範疇に含まれることは勿論であることを付け加えておく。
【図面の簡単な説明】
【００２４】
【図１】本発明の実施形態となる電源コードの柔軟性評価装置の構成を示す上面図である。
【図２】本発明の実施形態となる電源コードの柔軟性評価装置の構成を示す側面図である。
【図３】電源コードの柔軟性を評価する際の電源コードの押し込み距離を示す図である。
【図４】ポリエチレン（ＰＥ）製及び塩化ビニル（ＰＶＣ）製の電源コードそれぞれについて押し込み速度，押し込み量，押し込み範囲を変化させながら荷重値の平均値，標準偏差，変動係数を算出した結果を示す図である。
【図５】押し込み量が電源コードの曲率半径Ｒの５０及び７５［％］である場合の変動係数を示す図である。
【図６】押し込み量が電源コードの曲率半径Ｒの５０及び７５［％］である場合の変動係数を示す図である。
【図７】塩化ビニル（ＰＶＣ）製，ポリエチレン（ＰＥ）製，及び開発品Ａ，Ｂ，Ｃの電源コードそれぞれについて最大押し込み力と標準偏差を測定した結果を示す図である。
【図８】塩化ビニル（ＰＶＣ）製及び開発品Ａ，Ｂ，Ｃの電源コードそれぞれについて官能評価を行った結果を示す図である。
【符号の説明】
【００２５】
１：柔軟性評価装置
２：電源コード
３：電源コード固定つまみ
４：プッシュプルスケール
５：電動シリンダ
６：制御装置
７：荷重測定装置
８：測定台
９ａ，９ｂ：メジャー
【図１】
2007147339.tif 000003
【図２】
2007147339.tif 000004
【図３】
2007147339.tif 000005
【図４】
2007147339.tif 000006
【図５】
2007147339.tif 000007
【図６】
2007147339.tif 000008
【図７】
2007147339.tif 000009
【図８】
2007147339.tif 000010